(57)【要約】      （修正有）【課題】医療行為中の安全確保のために長期的に身体拘束を受けている患者を解放し、且つ安全な医療環境を提供する。【解決手段】「開口部のある蓋を取り付けた筒を半割にしたような形状の構造体」と「穴の開いたドレープ」の二つの物品からなる介護用品で、これら二つの物品を接続して使用する事により、医療行為中の安全確保のため抑制が必要とされる患者が、抑制から解放され安全に医療行為が受けられる事を可能にする。【選択図】図３
0003221968.tif 000002
【実用新案登録請求の範囲】
【請求項１】
開口部のある蓋を取り付けた筒を半割にしたような形状の構造体と穴の開いたドレープとをセットにして使用する事。
【考案の詳細な説明】
【技術分野】
【０００１】  本件実用新案は、医療行為中の安全確保のため抑制が必要とされる患者が、抑制から解放され安全に医療行為が受けられる事を可能にするための介護用品に関するものである。
【背景技術】
【０００２】  経鼻経管栄養や中心静脈栄養等の長期的な医療行為を必要とする患者は、チューブ抜去のリスク軽減のため、従来、日常的にミトン装着・身体拘束（四肢抑制、体幹抑制）等が行われる事が多かった。
【先行技術文献】
【実用新案文献】
【０００３】  なし
【実用新案の概要】
【実用新案が解決しようとする課題】
【０００４】  経鼻経管栄養や中心静脈栄養等の長期的な医療行為を必要とする患者は、既に認知機能が低下している事も多く、又、偶発的にもチューブ抜去のリスクが高いため、安全性の観点から、従来、日常的にミトン装着・身体拘束（四肢抑制、体幹抑制）等が行われる事が多かった。そのため必要以上に患者の自由を奪い、身体的機能の低下や四肢・手指の拘縮、褥瘡の発生を助長し、患者に肉体的・精神的負担を与えると共に家族にも精神的負担を与える事となっていた。そして、更なる医療資源の投入を必要とする事も多かった。
本件実用新案が解決しようとする課題は、上記のようなリスクを軽減し、可能な限り患者の自由を奪う事がないような医療環境を提供する事である。
【課題を解決するための手段】
【０００５】  ベッドに横たわった人間の体幹を囲う事が出来るような半割の筒のような形状の構造体に、人間が肩から抜け出る事が出来ない程度の大きさの開口部を有する蓋を取り付ける。これに、頭部のみを出す事が出来る穴の開いたドレープをマジックテープ等容易に着脱が行える部材で固定する。
【０００６】  患者の首の周りを保護するため、蓋の開口部はクッション性のある素材で縁取りをする。
【０００７】  構造体の外面に丸環等を取り付け、紐等を用いて構造体をベッドの柵等に固定出来るようにしておく。
本件実用新案は、以上の構成よりなる介護用品である。
表現の簡素化のため、構造体に蓋及び丸環等を取り付けた物を「本体」と称す。
【実用新案の効果】
【０００８】  患者の頭頸部はドレープの外にあり、それ以下の体部はドレープ及び本体の内部又は遠位側にあるため、患者を拘束しなくても頭頸部及び顔面部に患者の手が届く事はない。本体内部では上肢・手指が解放されているため患者はそれらを自由に動かす事が出来、拘縮・褥瘡の予防に繋がる。結果として、医療費の軽減が見込まれる。又、患者本人の肉体的・精神的苦痛及び家族の精神的苦痛は共に軽減される。
【０００９】  本体は、ドレープから容易に取り外す事が出来るので、おむつ替えや定期的な検温等の看護・介護時の手間はそれほどかからない。
【００１０】  ドレープは、本体に固定されており、且つ、捲れ防止用テープにより患者から外れないようになっている。そして、本体はベッドの柵等に固定されている。従って患者が本体から抜け出す事はない。
【００１１】  患者に直接触れるドレープは、洗濯可能な素材を用いる事により清潔を保つ事が出来る。
【図面の簡単な説明】
【００１２】
【図１】  本件実用新案の本体の斜視図である。
【図２】  本件実用新案のドレープの平面図である。
【図３】  本件実用新案の本体とドレープを結合した斜視図である。
【図４】  本件実用新案の本体とドレープを結合した平面図である。
【図５】  本件実用新案の本体とドレープを結合した側面図である。
【図６】  本件実用新案のドレープの捲れ防止用テープの平面図である。
【図７】  本件実用新案を人体に装着した平面図である。
【図８】  本件実用新案を人体に装着した側面図である。
【実用新案を実施するための形態】
【００１３】  以下、本件実用新案を実施するための形態について説明する。
ベッドの柵内に設置可能な大きさで、且つ、人間が入って窮屈でない程度の幅と高さを有する半割りの筒のような形の構造体を使用する。構造体は、人間の肩から腰あたりまで程度の長さ（約６０ｃｍ）がある事が望ましい。
構造体には人間が肩から抜け出る事が出来ない程度の大きさの開口部を有する蓋を取り付ける。患者の首の周りを保護するため、この開口部の周囲はクッション性のある素材で縁取りをする。
ドレープをマジックテープ等の着脱し易い部材により蓋の開口部を完全に覆うように固定すると共に本体に対しても同様の部材により固定する。又、捲れ防止用テープを用いて患者がドレープから抜け出さないようにする。ドレープの背中側の長さは装着する人の臀部より遠位まで届く長さが望ましい。頭部を出すためのドレープの開口部の大きさは、日常用いるＴシャツの開口部の大きさ程度とし、開き過ぎないようにする。
本体は構造体の外面に取り付けられた丸環等に紐等を用いてベッドの柵等に固定する。
患者は、頭頸部のみがドレープから出ている状態で寝かされる事になるが、ドレープが本体に固定されている事及び捲れ防止用テープにより患者はドレープから抜け出せない事から、患者は本体から抜け出る事は出来ない。
よって、安全が確保される。
【００１４】  この介護用品を使用する時は、ドレープを装着した患者をベッドに寝かせ、本体を患者の肩より下部の身体部分を覆うようにセットし、マジックテープ等でドレープを本体に固定する。捲れ防止用テープをドレープ及び本体に固定し、患者がドレープから抜け出せないようにする。
最後に、紐等で本体をベッド柵等に固定する。
【符号の説明】１    ベッドに横たわった人間の体幹を囲う事が出来るような、筒を半割にしたような形      状の構造体
２    人間が肩から抜け出る事が出来ない程度の大きさの開口部を有する蓋
３    頭部を出す事が出来る程度の大きさの穴が開いたドレープ
４    マジックテープ等容易に着脱が行える部材
４’  マジックテープ等容易に着脱が行える部材
４”  マジックテープ等容易に着脱が行える部材
５    クッション性のある素材による縁取り
６    丸環等本体をベッドに固定するための部材
７    ドレープの開口部
８    （ドレープの）捲れ防止用テープ
尚、図７、図８に於いては、煩雑さを避ける為にマジックテープ等を表現する「符号４」    等に係る図示を一部省略したが、他の図面から了解出来るものと考える。
【図１】
0003221968.tif 000003
【図２】
0003221968.tif 000004
【図３】
0003221968.tif 000005
【図４】
0003221968.tif 000006
【図５】
0003221968.tif 000007
【図６】
0003221968.tif 000008
【図７】
0003221968.tif 000009
【図８】
0003221968.tif 000010
【手続補正書】
【提出日】平成31年4月7日(2019.4.7)
【手続補正１】
【補正対象書類名】実用新案登録請求の範囲
【補正対象項目名】全文
【補正方法】変更
【補正の内容】
【実用新案登録請求の範囲】
【請求項１】
「開口部のある蓋を取り付けた筒を半割にしたような形状の構造体」と「穴の開いたドレープ」の二つの物品からなる介護用品で、これら二つの物品を接続して使用する事により、医療行為中の安全確保のため抑制が必要とされる患者が、抑制から解放され安全に医療行為が受けられる事を可能にする事を特徴とする抑制から解放される介護用品。